(57)【要約】【課題】本発明は普通的な衣服なのに、好みの場所で大きく相違する開放的でファッショナブル衣類に、着たままの状態で着替えの場所なしで素早く簡単に変身させる、且つ、素早く元の普通的な衣服に戻すこととのできるファスナ付きプリーツおよび衣服を提供するにある。【解決手段】ファスナ付きプリーツ１はプリーツ本体２と、このプリーツ本体２の一方の側に内向きに設けられた開閉スライダー４の付いた開閉用一方側スライドファスナ５と、プリーツ本体２の他方の側に内向きに設けられた開閉用他方側スライドファスナ７とで、開閉スライダー４の閉め移動操作により開閉用一方側スライドファスナ５と開閉用他方側スライドファスナ７とが噛合い接続して閉じ状態を形成し、且つ、開閉スライダー４のひらき移動操作により接続を解除して開き状態を形成するように構成している。【選択図】  図１
2004277935.tif 000002
【特許請求の範囲】
【請求項１】
プリーツ本体と、このプリーツ本体の一方の側部に設けられた開閉用一方側ファスナと、
前記プリーツ本体の他方の側部に設けられた前記開閉用一方側ファスナと接続される開閉用他方側ファスナとからなり、
ズボンやスカートや上着などの衣服に裂かれたような形態に形成された裂かれ形態部位に、該裂かれ形態部位の一方の側に前記開閉用一方側ファスナを取り付け、且つ、該裂かれ形態部位の他方の側に前記開閉用他方側ファスナを取り付けて該裂かれ形態部位の一方の側と他方の側が前記プリーツ本体で連絡されるようにし、前記開閉用一方側ファスナと前記開閉用他方側ファスナを接続して前記裂かれ形態部位を閉じおくことができるとともに、前記開閉用一方側ファスナと前記開閉用他方側ファスナの接続を解除して前記裂かれ形態部位を開いた状態にして前記衣服に前記プリーツ本体による広がり部位が得られるようにしてなることを特徴とするファスナ付きプリーツ。
【請求項２】
開閉用一方側ファスナが多数の噛合い片が配列され且つ開閉スライダーの付いた開閉用一方側スライドファスナであり、開閉用他方側ファスナが多数の噛合い片が配列された開閉用他方側スライドファスナであり、前記開閉スライダーにより前記開閉用一方側スライドファスナの噛合い片と前記開閉用他方側スライドファスナの噛合い片とが噛合い接続するものであることを特徴とする請求項１記載のファスナ付きプリーツ。
【請求項３】
開閉用一方側ファスナが開閉用雌面ファスナであり、開閉用他方側ファスナが開閉用雄面ファスナであることを特徴とする請求項１記載のファスナ付きプリーツ。
【請求項４】
プリーツ本体の一方の側に衣類接続用一方側ファスナを設け、前記プリーツ本体の他方の側に衣類接続用他方側ファスナを設け、前記衣類接続用一方側ファスナが衣類の裂かれ形態部位の一方の側に設けられたプリーツ接続用一方側ファスナに接続し、前記衣類接続用他方側ファスナが前記衣類の裂かれ形態部位の他方の側に設けられたプリーツ接続用他方側ファスナに接続されるものであることを特徴とする請求１、２、３いずれか記載のファスナ付きプリーツ。
【請求項５】
ズボンやスカートや上着などの衣類本体と、この衣類本体に裂かれたような形態に形成された裂かれ形態部位と、この裂かれ形態部位の一方の側に設けられた開閉用一方側ファスナと、該裂かれ形態部位の他方の側に設けられた開閉用他方側ファスナと、前記開閉用一方側ファスナ側に一方の側を取り付けるとともに前記開閉用他方側ファスナ側に他方の側を取り付けて前記裂かれ形態部位の一方の側と他方の側を連絡してなるプリーツ本体とからなり、前記開閉用一方側ファスナと前記開閉用他方側ファスナを接続と接続解除により前記裂かれ形態部位の開閉が行えるようにしてなることを特徴とする衣類。
【請求項６】
ズボンやスカートや上着などの衣類本体と、この衣類本体に裂かれたような形態に形成された裂かれ形態部位と、この裂かれ形態部位の一方の側に設けられた開閉用一方側ファスナと、前記裂かれ形態部位の他方の側に設けられた前記開閉用一方側ファスナと接続および接続解除されて該裂かれ形態部位の開閉を行う開閉用他方側ファスナと、前記裂かれ形態部位の一方の側に設けられたファスナ付きプリーツの衣類接続用一方側ファスナを接続するためのプリーツ接続用一方側ファスナと、前記裂かれ形態部位の他方の側に設けられた前記ファスナ付きプリーツの衣類接続用他方側ファスナを接続するためのプリーツ接続用他方ファスナとからなることを特徴とする衣類。
【発明の詳細な説明】
【０００１】
【発明の属する技術分野】
本発明は着ている例えば普通的な衣服をいつでも着たままファッショナブルな衣服形態に容易に変身させることができるとともに元の普通的な衣服形態に着たまま容易に戻すことができるファスナ付きプリーツおよび衣服に関する。
【０００２】
【従来技術】
従来特開２００１−３０３３３９（衣服）に、下着の袖の下内側にプリーツ生地を取り付けたマチ部を設けた技術が開示されている。
【０００３】
【発明が解決しようとする課題】
前述した従来技術は、ズボンなどの裾側に同じような形態でプリーツを設けた場合には、到底普通衣服として着用できるものではなかったし、使用するにはバックなどで持ちあるき、使用した居場所のトイレや脱衣所などで着替えて使用しなければならない、大変面倒なもので誰でも使用できるというものではなかったし、外で着替えるにしても大変なものであるので、誰でもが気軽に使用しできるというものではないという欠点があった。
また、プリーツは衣服に固定されているものであるので、一つの衣服は一つのプリーツによるファッションしか楽しめないという欠点を持つものであった。
【０００４】
本発明は以上のような従来の欠点に鑑み、例えば派手ではない普通的な衣服なのに、好みの場所で大きく相違する開放的でファッショナブル衣類や土派手な衣装に、着たままの状態で着替えの場所なしで容易に変身させる、且つ、元の普通的な衣服に容易に戻すこととのできるファスナ付きプリーツおよび衣服を提供することを目的としている。
また、多様な模様・形態のプリーツを簡単に交換することができ、好みの場所で大きく相違する開放的なファッショナブル衣類に着たままの状態で、着替えの場所なしで容易に変身させ、且つ、容易に元の普通的な衣服に戻すことのできるファスナ付きプリーツおよび衣服を提供することを目的としている。
【０００５】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【０００６】
【課題を解決するための手段】
上記目的を達成するために、本発明はプリーツ本体と、このプリーツ本体の一方の側部に設けられた開閉用一方側ファスナと、前記プリーツ本体の他方の側部に設けられた前記開閉用一方側ファスナと接続される開閉用他方側ファスナとで、ズボンやスカートや上着などの衣服に裂かれたような形態に形成した裂かれ形態部位に、該裂かれ形態部位の一方の側に前記開閉用一方側ファスナを取り付け、且つ、該裂かれ形態部位の他方の側に前記開閉用他方側ファスナを取り付けて該裂かれ形態部位の一方の側と他方の側が前記プリーツ本体で連絡されるようにし、前記開閉用一方側ファスナと前記開閉用他方側ファスナを接続して前記裂かれ形態部位を閉じおくことができるとともに、前記開閉用一方側ファスナと前記開閉用他方側ファスナの接続を解除して前記裂かれ形態部位を開いた状態にして前記衣服に前記プリーツ本体による広がり部位が得られるようにしてなるファスナ付きプリーツを構成している。
【０００７】
また、ズボンやスカートや上着などの衣類本体と、この衣類本体に裂かれたような形態に形成された裂かれ形態部位と、この裂かれ形態部位の一方の側に設けられた開閉用一方側ファスナと、該裂かれ形態部位の他方の側に設けられた開閉用他方側ファスナと、前記開閉用一方側ファスナ側に一方の側を取り付けるとともに前記開閉用他方側ファスナ側に他方の側を取り付けて前記裂かれ形態部位の一方の側と他方の側を連絡してなるプリーツ本体とで、前記開閉用一方側ファスナと前記開閉用他方側ファスナを接続と接続解除により前記裂かれ形態部位の開閉が行えるようにしてなる衣類を構成している。
【０００８】
【発明の実施の形態】
以下、図面に示す実施の形態により、本発明を詳細に説明する。
【０００９】
図１ないし図３に示す本発明の実施の形態において１はファスナ付きプリーツであって、このファスナ付きプリーツ１は上部に行くにしたがって狭く細くなり多数の襞により形成された形態の、薄く滑らかなポリエステル製プリーツ生地からなるプリーツ本体２と、このプリーツ本体２の一方の側に内向きに設けられた、多数の噛合い片３が配列され且つ開閉スライダー４の付いた開閉用一方側スライドファスナ５と、プリーツ本体２の他方の側に内向きに設けられた、多数の噛合い片６が配列され開閉用他方側スライドファスナ７とからなり、開閉スライダー４の閉め移動操作により開閉用一方側スライドファスナ５の噛合い片３と開閉用他方側スライドファスナ７の噛合い片６とが噛合い接続して閉じ状態を形成し、且つ、開閉スライダー４のひらき移動操作により接続を解除して開き状態を形成するようになっている。
【００１０】
図２および図３において衣類９は短形ズボンからなる衣類本体１０と、この衣類本体１０の側部に縫い着部位の縫い糸を解して下方から裂かれたような形態に形成された裂かれ形態部位１１と、この裂かれ形態部位１１の一方の側に開閉用一方側スライドファスナ５を取り付け且つ裂かれ形態部位１１の他方の側に開閉用他方側スライドファスナ７を取り付けて、裂かれ形態部位１１の一方の側と他方の側がプリーツ本体２で連絡されるように設けられたファスナ付きプリーツ１とからなっている。
衣類はズボン、スカート、上着、膝下に着る筒状のものなど多様な衣類があるし、裂かれ形態部の形成場所や形態は、ズボンの下方から膝や腿上や股の付け根あたりまで裂いたような形態、ズボンの下部や上着の袖口あたりに短く複数本設けて袖口等が花びらが開くような形態にしたもの、上着の胴部に何本も形成したもの、スカートに何本形成して身体にフィットしたスカートから思い切ったプリーツスカートにできるもの、ズボンの膝や臀部を囲むように複数本形成して、膝や臀部部分あたりのみがプリーツにより膨らむようにしたものなどなど多様な形態がある。
【００１１】
【発明の異なる実施の形態】
次に、図４ないし図８に示す本発明の異なる実施の形態につき説明する。
なお、これら発明の異なる実施の形態の説明に当たって、前記本発明の第１の実施の形態と同一構成部分には同一符号を付して重複する説明を省略する。
【００１２】
図４および図５示す本発明の第２の実施の形態において、前記本発明の第１の実施の形態と主に異なる点は、プリーツ本体２の一方の側に雌面ファスナからなる衣類接続用一方側ファスナ１３を設け、プリーツ本体２の他方の側に雄面ファスナからなる衣類接続用他方側ファスナ１４を設け、該１３と該１４と該２でファスナ付きプリーツ１５を形成した点にある。そして、衣類接続用一方側ファスナ１３が、衣類本体２の裂かれ形態部位の一方の側に設けられる開閉用一方側スライドファスナ５に備えられた雄面ファスナからなるプリーツ接続用一方側ファスナ１６に接続し、衣類接続用他方側ファスナ１４が衣類の裂かれ形態部位の他方の側に設けられた開閉用他方側スライドファスナ７に備えられた雌面ファスナからなるプリーツ接続用他方側ファスナ１７に接続され使用される。１８は縫い糸。
これにより、ファスナ付きプリーツは簡単に衣服に着脱・交換して使用することができる。
【００１３】
図６に示す本発明の第３の実施の形態において、前記本発明の第１の実施の形態と主に異なる点は、前記第２の実施の形態の構成の衣類接続用一方側ファスナ１３、１３および衣類接続用他方側ファスナ１４、１４を前後に設け、プリーツ接続用一方側ファスナ１６、１６とプリーツ接続用他方側ファスナ１７、１７を向かい合わせに設けて、挟持接続するようにしたファスナ付きプリーツ１９を形成した点にある。
このような構成とすることにより、より強い外れ難い面ファスナ接続を実現する。
【００１４】
図７に示す本発明の第４の実施の形態において、前記本発明の第１の実施の形態と主に異なる点は、プリーツ本体２の一方の側に外向きに開閉用他方側スライドファスナ７を設け、プリーツ本体２の他方の側に外向きに開閉用一方側スライドファスナ５を設けたファスナ付きプリーツ２０を形成した点にある。
そして、裂かれ形態部位１１の一方の側に開閉用一方側スライドファスナ５を取り付け且つ裂かれ形態部位１１の他方の側に開閉用他方側スライドファスナ７を取り付けて、各スライドファスナの接続によりファスナ付きプリーツ２０を裂かれ形態部位１１に取り付け使用する。プリーツ不使用時は、ファスナ付きプリーツ２０はバック等にしまい携帯して、裂かれ形態部位１１の開閉用一方側スライドファスナ５と開閉用他方側スライドファスナ７の接続により該１１を閉じておく。
プリーツ本体２側の開閉用他方側スライドファスナ７と開閉用一方側スライドファスナ５は衣類接続用他方側ファスナと衣類接続用一方側ファスナでもある。衣類１０側の開閉用他方側スライドファスナ７と開閉用一方側スライドファスナ５はプリーツ接続用他方側ファスナとプリーツ接続用一方側ファスナでもある。
【００１５】
図８に示す本発明の第５の実施の形態において、前記本発明の第１の実施の形態と主に異なる点は、開閉用他方側スライドファスナ７に変えて衣類接続用他方側ファスナ１４を表向きにして設け、開閉用一方側スライドファスナ５に変えて衣類接続用一方側ファスナ１３を裏向きにして捲り形態に設けたファスナ付きプリーツ２２を形成した点にある。
衣類接続用他方側ファスナ１４と衣類接続用一方側ファスナ１３は裂かれ形態部位１１の縁に縫い付け固定され、閉じる場合は衣類接続用他方側ファスナ１４に衣類接続用一方側ファスナ１３を被せて接合接続する。
【００１６】
このほか、裂かれ形態部位１１は開閉用一方側スライドファスナ５と開閉用他方側スライドファスナ７により開閉できるようにし、衣類本体２の内側で裂かれ形態部位１１の両奥側に面ファスナを取り付け、該面ファスナにプリーツ側面ファスナーを接続してファスナ付きプリーツ１５のような形態のものを着脱自在に取り付けるようにする構成もよい。この場合、面ファスナの接続組み合わせはどのような形態でもよい。
【００１７】
【発明の効果】
以上の説明から明らかなように、本発明にあっては次に列挙する効果が得られる。
【００１８】
（１）ファスナを閉じ接続しておくことにより、プリーツは衣類の中に隠されているので、衣服は普通的な衣服として、例えば会社等に着て行き、夕暮れの街や遊びなどの好みの場所では、ファスナの接続を解除して裂かれ形態部位をプリーツが露出した状態に開放できるので、普通的な衣服が着用者の動作により多様に広がり動いて開放的で躍動的な形態に変身し、且つ、プリーツの色や模様形態により色彩的にもファッショナブルな衣服へと変身でき、この変身が衣服を着用したまま着替え場所の必要もなく素早く簡単に行えつとともに、普通的な衣服に戻りたい場合は、ファスナを接続するだけの簡単操作でプリーツを衣服内に収納し元の普通的な衣服にもどせ
るという効果を得ることができる。
また、身体を締付けるようなスカートなどにおいては、車の運転時などファスナの接続を解除することにより、締付けをなくして快適安全な運転を行うことを可能とするなどの効果を得ることができる。
【００１９】
（２）また、プリーツをファスナにより衣服に着脱可能にしたものは、プリーツを変えて衣類のファッション形態をいろいろなものにできるので、より楽しいものにできるという効果を得ることができる。
プリーツは一般的はポリエステルなどの滑らかな肌触りで薄い生地からできており、バックなどに複数組収納しても軽く嵩張らないものであるので、携帯して場所、時間帯、気温や気象、気分などの状況にあわせたものにしたり、途中で交換して違うファッションにするという楽しみ方を実現するという効果を得ることができる。
また、プリーツを衣類に取り付けずに携帯して、使用時に取り付け使用後は取り外し携帯して持ち帰ることができ、特に厚手のプリーツ生地を使用したり、プリーツに他の装飾部材を下げるなどの施しをしたりして嵩張るような場合や、ファスナを閉じ衣類に収納して違和感が強い場合などはこのようにして使用できるので他変便利である。
【図面の簡単な説明】
【図１】本発明の第１の実施の形態のファスナ付きプリーツの正面図。
【図２】本発明の第１の実施の形態の衣類のファスナを閉じた状態側面図。
【図３】本発明の第１の実施の形態の衣類のファスナを開いた状態側面図。
【図４】本発明の第２の実施の形態のファスナ付きプリーツの正面図。
【図５】本発明の第２の実施の形態のファスナの接続状態を示す部分部。
【図６】本発明の第３の実施の形態のファスナの接続状態を示す部分部。
【図７】本発明の第４の実施の形態のファスナ付きプリーツの正面図。
【図８】本発明の第５の実施の形態のファスナ付きプリーツの正面図。
【符号の説明】
１：ファスナ付きプリーツ、                ２：プリーツ本体、
３：噛合い片、                            ４：開閉スライダー、
５：開閉用一方側スライドファスナ、        ６：噛合い片、
７：開閉用他方側スライドファスナ、        ９：衣類、
１０：衣類本体、                        １１：裂かれ形態部位、
１３：衣類接続用一方側ファスナ、        １４：衣類接続用他方側ファスナ、
１５：ファスナ付きプリーツ、            １６：プリーツ接続用一方側ファスナ、
１７：プリーツ接続用他方側ファスナ、    １８：縫い糸、
１９：ファスナ付きプリーツ、            ２０：ファスナ付きプリーツ、
２２：ファスナ付きプリーツ。
【図１】
2004277935.tif 000003
【図２】
2004277935.tif 000004
【図３】
2004277935.tif 000005
【図４】
2004277935.tif 000006
【図５】
2004277935.tif 000007
【図６】
2004277935.tif 000008
【図７】
2004277935.tif 000009
【図８】
2004277935.tif 000010